【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
電力供給源と、
前記電力供給源に接続されたＤＣ／ＤＣコンバータと、
前記電力供給源から負荷に供給される電圧に相当する電圧をサンプルタイミング信号に応じてサンプルし、前記ＤＣ／ＤＣコンバータの出力設定値としてホールドするサンプルホールド回路を有し、
前記電力供給源の電圧が一時的に低下する以前の時点で前記サンプルタイミング信号がオンになると、前記電力供給源の電圧に相当する電圧を前記サンプルホールド回路でホールドするとともに前記ＤＣ／ＤＣコンバータを起動して、前記出力設定値となるように前記ＤＣ／ＤＣコンバータの出力電圧を制御することにより、前記出力電圧を前記電力供給源の電圧変動に追従させるとともに、
前記電力供給源の電圧に相当する電圧が、ホールドされた電圧まで回復した時点以降で前記サンプルタイミング信号がオフになると、前記ＤＣ／ＤＣコンバータを停止する電源装置。
【請求項２】
電力供給源と、
前記電力供給源に接続されたＤＣ／ＤＣコンバータと、
前記電力供給源から負荷に供給される電圧に相当する電圧をサンプルタイミング信号に応じてサンプルし、前記ＤＣ／ＤＣコンバータの出力設定値としてホールドするサンプルホールド回路を有するとともに、
前記ＤＣ／ＤＣコンバータは、前記電力供給源、または補助電源から出力電圧を得る構成を有し、
前記電力供給源の電流が変化する以前の時点で前記サンプルタイミング信号がオンになると、前記電圧供給源の電圧に相当する電圧を前記サンプルホールド回路でホールドするとともに、前記ＤＣ／ＤＣコンバータの前記出力電圧をホールドした電圧となるように動作し、その後前記電力供給源の電流が一時的に増加すると、その変動電流を前記ＤＣ／ＤＣコンバータを介して前記補助電源で吸収し、前記電力供給源の電流が低下すると、前記補助電源が吸収した充電電力を放出することで、前記出力設定値となるように前記ＤＣ／ＤＣコンバータの前記出力電圧を制御することにより、前記出力電圧を前記電力供給源の電圧変動に追従させる電源装置。
【請求項３】
電力供給源と、
前記電力供給源に接続されたＤＣ／ＤＣコンバータと、
前記電力供給源から負荷に供給される電圧に相当する電圧をサンプルタイミング信号に応じてサンプルし、前記ＤＣ／ＤＣコンバータの出力設定値としてホールドするサンプルホールド回路を有するとともに、
前記ＤＣ／ＤＣコンバータは、前記電力供給源、または補助電源から出力電圧を得る構成で、かつ、２つのスイッチを交互にオンオフする動作によって電圧を変換する構成を有し、
前記電力供給源の電圧が低下した時に、前記ＤＣ／ＤＣコンバータは、前記補助電源の電圧が前記サンプルホールド回路でホールドした前記出力設定値になるように制御して前記負荷に電力を供給することで、前記出力設定値となるように前記ＤＣ／ＤＣコンバータの出力電圧を制御することにより、前記出力電圧を前記電力供給源の電圧変動に追従させ、前記電力供給源の電圧が低下していない通常時に、前記ＤＣ／ＤＣコンバータの入出力間に接続された方の前記スイッチをオンにすることにより、前記電力供給源から前記負荷への電力供給が前記ＤＣ／ＤＣコンバータを介して行われる電源装置。
【請求項４】
負荷に電力を供給する電力源として、電力供給源の出力とＤＣ／ＤＣコンバータの出力を切り替える選択スイッチを設けた請求項１から３のいずれかに記載の電源装置。
【請求項５】
ＤＣ／ＤＣコンバータは、電力供給源、または補助電源から出力電圧を得る構成を有し、前記電力供給源の電圧が低下した時に、前記ＤＣ／ＤＣコンバータは、前記補助電源の電圧がサンプルホールド回路でホールドした出力設定値になるように制御して負荷に電力を供給する請求項１、または２に記載の電源装置。
【請求項６】
補助電源から負荷に供給される電圧が、電力供給源から前記負荷に供給される電圧より低くなるようにＤＣ／ＤＣコンバータの出力設定値を決定した請求項５に記載の電源装置。
【請求項７】
ＤＣ／ＤＣコンバータの出力と負荷の間に整流素子を接続し、
前記整流素子の電圧降下に相当する電圧分だけ前記ＤＣ／ＤＣコンバータの出力設定値を上げておく請求項５に記載の電源装置。
【請求項８】
ＤＣ／ＤＣコンバータは２つのスイッチを交互にオンオフする動作によって電圧を変換する構成を有し、
電力供給源の電圧が低下していない通常時に、前記ＤＣ／ＤＣコンバータの入出力間に接続された方の前記スイッチをオンにすることにより、前記電力供給源から前記負荷への電力供給が前記ＤＣ／ＤＣコンバータを介して行われる請求項５に記載の電源装置。
【請求項９】
ＤＣ／ＤＣコンバータは、電力供給源、または補助電源から出力電圧を得る構成を有し、前記電力供給源の電流の一時的な変動分が、前記ＤＣ／ＤＣコンバータを介して前記補助電源で吸収、または放出される請求項１、または３に記載の電源装置。
【請求項１０】
電力供給源の電圧が低下する以前の時点でサンプルタイミング信号がオンになると、前記電力供給源の電圧に相当する電圧をサンプルホールド回路でホールドするとともにＤＣ／ＤＣコンバータを起動し、
前記電力供給源の電圧に相当する電圧が、ホールドされた電圧まで回復した時点以降で前記サンプルタイミング信号がオフになると、前記ＤＣ／ＤＣコンバータを停止する請求項２、または３に記載の電源装置。
【請求項１１】
ＤＣ／ＤＣコンバータの出力電圧が、ホールドされた時の電力供給源の電圧より既定定数倍低くなるようにした請求項１、または１０に記載の電源装置。
【請求項１２】
電力供給源の電圧が低下する以前の時点でサンプルタイミング信号がオンになると、前記電力供給源の電圧に相当する電圧をサンプルホールド回路でホールドするとともに、前記電力供給源の電圧に相当する電圧が、ホールドされた電圧より既定定数倍低い正のしきい値電圧まで低下すればＤＣ／ＤＣコンバータを起動し、
前記ＤＣ／ＤＣコンバータの出力電圧は、ホールドされた時の前記電力供給源の電圧より前記既定定数倍低くなるようにし、
前記電力供給源の電圧に相当する電圧が前記しきい値電圧以上に回復するか、またはサンプルタイミング信号がオフになると、前記ＤＣ／ＤＣコンバータを停止する請求項１から３のいずれかに記載の電源装置。
【請求項１３】
電力供給源の電圧が低下する以前の時点でサンプルタイミング信号がオンになると、前記電力供給源の電圧に相当する電圧をサンプルホールド回路でホールドするとともにＤＣ／ＤＣコンバータを起動し、
前記ＤＣ／ＤＣコンバータの出力電圧は、ホールドされた時の前記電力供給源の電圧より既定定数倍低くなるようにし、
前記電力供給源の電圧に相当する電圧が、ホールドされた電圧より前記既定定数倍低い正のしきい値電圧以上に回復すると、前記ＤＣ／ＤＣコンバータを停止する請求項１から３のいずれかに記載の電源装置。
【請求項１４】
補助電源が充電、または放電している間のみＤＣ／ＤＣコンバータを動作させる請求項５に記載の電源装置。
【手続補正２】
【補正対象書類名】明細書
【補正対象項目名】００１５
【補正方法】変更
【補正の内容】
【００１５】
前記従来の課題を解決するために、本発明の電源装置は、電力供給源と、前記電力供給源に接続されたＤＣ／ＤＣコンバータと、前記電力供給源から負荷に供給される電圧に相当する電圧をサンプルタイミング信号に応じてサンプルし、前記ＤＣ／ＤＣコンバータの出力設定値としてホールドするサンプルホールド回路を有し、前記電力供給源の電圧が一時的に低下する以前の時点で前記サンプルタイミング信号がオンになると、前記電力供給源の電圧に相当する電圧を前記サンプルホールド回路でホールドするとともに前記ＤＣ／ＤＣコンバータを起動して、前記出力設定値となるように前記ＤＣ／ＤＣコンバータの出力電圧を制御することにより、前記出力電圧を前記電力供給源の電圧変動に追従させるとともに、前記電力供給源の電圧に相当する電圧が、ホールドされた電圧まで回復した時点以降で前記サンプルタイミング信号がオフになると、前記ＤＣ／ＤＣコンバータを停止するものである。
また、本発明の電源装置は、電力供給源と、前記電力供給源に接続されたＤＣ／ＤＣコンバータと、前記電力供給源から負荷に供給される電圧に相当する電圧をサンプルタイミング信号に応じてサンプルし、前記ＤＣ／ＤＣコンバータの出力設定値としてホールドするサンプルホールド回路を有するとともに、前記ＤＣ／ＤＣコンバータは、前記電力供給源、または補助電源から出力電圧を得る構成を有し、前記電力供給源の電流が変化する以前の時点で前記サンプルタイミング信号がオンになると、前記電圧供給源の電圧に相当する電圧を前記サンプルホールド回路でホールドするとともに、前記ＤＣ／ＤＣコンバータの前記出力電圧をホールドした電圧となるように動作し、その後前記電力供給源の電流が一時的に増加すると、その変動電流を前記ＤＣ／ＤＣコンバータを介して前記補助電源で吸収し、前記電力供給源の電流が低下すると、前記補助電源が吸収した充電電力を放出することで、前記出力設定値となるように前記ＤＣ／ＤＣコンバータの前記出力電圧を制御することにより、前記出力電圧を前記電力供給源の電圧変動に追従させるものである。
また、本発明の電源装置は、電力供給源と、前記電力供給源に接続されたＤＣ／ＤＣコンバータと、前記電力供給源から負荷に供給される電圧に相当する電圧をサンプルタイミング信号に応じてサンプルし、前記ＤＣ／ＤＣコンバータの出力設定値としてホールドするサンプルホールド回路を有するとともに、前記ＤＣ／ＤＣコンバータは、前記電力供給源、または補助電源から出力電圧を得る構成で、かつ、２つのスイッチを交互にオンオフする動作によって電圧を変換する構成を有し、前記電力供給源の電圧が低下した時に、前記ＤＣ／ＤＣコンバータは、前記補助電源の電圧が前記サンプルホールド回路でホールドした前記出力設定値になるように制御して前記負荷に電力を供給することで、前記出力設定値となるように前記ＤＣ／ＤＣコンバータの出力電圧を制御することにより、前記出力電圧を前記電力供給源の電圧変動に追従させ、前記電力供給源の電圧が低下していない通常時に、前記ＤＣ／ＤＣコンバータの入出力間に接続された方の前記スイッチをオンにすることにより、前記電力供給源から前記負荷への電力供給が前記ＤＣ／ＤＣコンバータを介して行われるものである。
【手続補正３】
【補正対象書類名】明細書
【補正対象項目名】０１０１
【補正方法】変更
【補正の内容】
【０１０１】
これに対し、補助電源３０は時間ｔ０において放電された状態であるが、回生動作による電気エネルギーを全て回収するために、補助電源３０に充電されないように制御する必要がある。従って、補助電源３０はＤＣ／ＤＣコンバータ２４を介して充電される回路構成であるので、図７（ｂ）に示すように、ＤＣ／ＤＣコンバータ２４への電流Ｉ５は０となるように制御される。ここで、補助電源３０には完全放電が可能な電気二重層キャパシタを用いた。
【手続補正４】
【補正対象書類名】明細書
【補正対象項目名】０１５２
【補正方法】変更
【補正の内容】
【０１５２】
やがて、時間ｔ７でエンジン始動が完了し、スタータの動作が停止したとする。この時、図９（ａ）に示すようにＶ１は急激に電圧低下前の電圧まで回復する。その結果、時間ｔ５〜ｔ６と同じ状態になるため、図９（ｂ）に示すように、時間ｔ７で電力供給源２２からの僅かな電流Ｉ１が再び流れる。これに伴い、図９（ｃ）に示すように、時間ｔ７で補助電源３０から負荷２１に供給される電流Ｉ５は負側で僅かに小さくなる。従って、図９（ｆ）に示すように補助電源３０の電圧Ｖ３の低下傾きも小さくなる。
【手続補正５】
【補正対象書類名】図面
【補正対象項目名】図１３
【補正方法】変更
【補正の内容】
【図１３】
2008043180.tif 000001
【手続補正６】
【補正対象書類名】図面
【補正対象項目名】図１５
【補正方法】変更
【補正の内容】
【図１５】
2008043180.tif 000002
【手続補正７】
【補正対象書類名】図面
【補正対象項目名】図１７
【補正方法】変更
【補正の内容】
【図１７】
2008043180.tif 000003
【手続補正８】
【補正対象書類名】図面
【補正対象項目名】図１９
【補正方法】変更
【補正の内容】
【図１９】
2008043180.tif 000004
【手続補正９】
【補正対象書類名】図面
【補正対象項目名】図２１
【補正方法】変更
【補正の内容】
【図２１】
2008043180.tif 000005